(57)【特許請求の範囲】
【請求項１】
ファンと、
前記ファンが取着される回転軸を有するモータと、
前記ファンを収容し、前記モータが挿入されるモータ挿入口を有するファンケースと、
前記モータ挿入口と前記モータとの間に介在され、弾性を有する環状のシール部材と、を有し、
前記ファンケースは、前記モータが挿入されるモータ挿入口と、前記ファンの回転により気体を前記ファンケースの内部に取り込む流入口と、前記ファンの回転により前記ファンケースの内部の気体を排出する排出部とを有し、
前記モータ挿入口の内周面は、前記ファンケースの内面側の第１斜面と、前記第１斜面より外面側の第２斜面とを有し、前記第１斜面と前記第２斜面は互いに近い側の内径に対して互いに遠い側の内径が小さく、
前記モータは、前記ファンを駆動するモータ本体と、前記モータ挿入口の前記内周面と対向する外周面を有し前記モータ本体が固定されるモータ側固定部材と、を有し、
前記外周面は、前記ファンケースの内面側の第３斜面と、前記第３斜面よりも外面側の第４斜面とを有し、前記第３斜面と前記第４斜面は互いに近い側の外径に対して互いに遠い側の外径が大きく、
前記シール部材は、前記第１斜面と前記第２斜面とのうちの少なくとも一方の面と、前記第３斜面と前記第４斜面とのうちの少なくとも一方の面とに当接し、
前記モータは、前記ファンが駆動されたときに、非駆動時より前記ファンケースから見て離間する方向に移動し、
前記モータ側固定部材は、前記回転軸を中心とする径方向外側から前記モータ本体を囲っている、送風装置。
【請求項２】
ファンと、
前記ファンが取着される回転軸を有するモータと、
前記ファンを収容し、前記モータが挿入されるモータ挿入口を有するファンケースと、
前記モータ挿入口と前記モータとの間に介在され、弾性を有する環状のシール部材と、を有し、
前記ファンケースは、前記モータが挿入されるモータ挿入口と、前記ファンの回転により気体を前記ファンケースの内部に取り込む流入口と、前記ファンの回転により前記ファンケースの内部の気体を排出する排出部とを有し、
前記モータ挿入口の内周面は、前記ファンケースの内面側の第１斜面と、前記第１斜面より外面側の第２斜面とを有し、前記第１斜面と前記第２斜面は互いに近い側の内径に対して互いに遠い側の内径が小さく、
前記モータは、前記ファンを駆動するモータ本体と、前記モータ挿入口の前記内周面と対向する外周面を有し前記モータ本体が固定されるモータ側固定部材と、を有し、
前記外周面は、前記ファンケースの内面側の第３斜面と、前記第３斜面よりも外面側の第４斜面とを有し、前記第３斜面と前記第４斜面は互いに近い側の外径に対して互いに遠い側の外径が大きく、
前記シール部材は、前記第１斜面と前記第２斜面とのうちの少なくとも一方の面と、前記第３斜面と前記第４斜面とのうちの少なくとも一方の面とに当接し、
前記モータは、前記ファンが駆動されたときに、非駆動時より前記ファンケースから見て離間する方向に移動し、
前記モータ側固定部材は、
前記第３斜面を有する第１固定部材と、
前記第４斜面を有する第２固定部材と、を有する、送風装置。
【請求項３】
前記第１固定部材と前記第２固定部材との間に配設された粘性部材を有する、請求項２に記載の送風装置。
【請求項４】
前記ファンケースは、前記ファンを収容する収容空間を形成するケース本体と、前記ケース本体の上面に取着されたケース側固定部材と、を有し、前記ケース本体は前記第１斜面を有し、前記ケース側固定部材は前記第２斜面を有する、請求項１〜３のいずれか１項に記載の送風装置。
【請求項５】
前記ファンケースは、前記ファンを収容する収容空間を形成するケース本体と、前記ケース本体の上面に取着されたケース側固定部材と、を有し、前記ケース側固定部材は前記第１斜面及び前記第２斜面を有する、請求項１〜３のいずれか１項に記載の送風装置。
【請求項６】
前記ケース本体と前記ケース側固定部材とは、互いに異なる材料からなる、請求項４又は５に記載の送風装置。
【請求項７】
前記ケース本体と前記ケース側固定部材との間に配設された粘性部材を有する、請求項４〜６のいずれか１項に記載の送風装置。
【請求項８】
前記粘性部材は、粘着シート又はゲルシートを有する、請求項３又は７に記載の送風装置。
【請求項９】
前記第１斜面と前記第２斜面の少なくとも一方は径方向外側に向かって凹状に湾曲しており、前記第３斜面と前記第４斜面の少なくとも一方は径方向内側に向かって凹状に湾曲している、請求項１〜８の何れか１項に記載の送風装置。
【請求項１０】
請求項１〜９のいずれか１項に記載の送風装置と、前記送風装置を制御する制御装置とを有する流体制御装置。
【発明の詳細な説明】
【技術分野】
【０００１】
本発明は、例えば持続的気道陽圧（ＣＰＡＰ：Continuous Positive Airway Pressure）の装置等に用いられる送風装置及び送風装置を有する流体制御装置に関する。
【背景技術】
【０００２】
従来、閉塞性睡眠時無呼吸症候群（ＯＳＡ）などの睡眠関連の障害の治療用として、例えば、持続的気道陽圧（ＣＰＡＰ：Continuous Positive Airway Pressure）装置（以下、ＣＰＡＰ装置）等の流体制御装置が用いられる（例えば、特許文献１参照）。ＣＰＡＰ装置は、ファンを内蔵した送風装置を有し、患者の口や鼻に装着されるマスクに送風装置から大気圧より高い圧力で気体（例えば空気）を供給する。ＣＰＡＰ装置は、患者の就寝中に使用されるため、静粛性が求められる。例えば、装置に対する空気の流入音を低減する仕組みを備えたＣＰＡＰ装置が提案されている（例えば、特許文献１参照）。
【先行技術文献】
【特許文献】
【０００３】
【特許文献１】特開２０１６−３４４１１号公報
【発明の概要】
【発明が解決しようとする課題】
【０００４】
ところで、ＣＰＡＰ装置等に用いられる送風装置は、モータの振動が騒音となって静粛性が低下する。
本発明は上記問題点を解決するためになされたものであって、その目的は、モータの振動による騒音を抑制することにある。
【課題を解決するための手段】
【０００５】
上記課題を解決する送風装置は、ファンと、前記ファンが取着される回転軸を有するモータと、前記ファンを収容し、前記モータが挿入されるモータ挿入口を有するファンケースと、前記モータ挿入口と前記モータとの間に介在され、弾性を有する環状のシール部材と、を有し、前記ファンケースは、前記モータが挿入されるモータ挿入口と、前記ファンの回転により気体を前記ファンケースの内部に取り込む流入口と、前記ファンの回転により前記ファンケースの内部の気体を排出する排出部とを有し、前記モータ挿入口の内周面は、前記ファンケースの内面側の第１斜面と、前記第１斜面より外面側の第２斜面とを有し、前記第１斜面と前記第２斜面は互いに近い側の内径に対して互いに遠い側の内径が小さく、前記モータは、前記モータ挿入口の前記内周面と対向する外周面を有し、前記モータの前記外周面は、前記ファンケースの内面側の第３斜面と、前記第３斜面よりも外面側の第４斜面とを有し、前記第３斜面と前記第４斜面は互いに近い側の外径に対して互いに遠い側の外径が大きく、前記シール部材は、前記第１斜面と前記第２斜面とのうちの少なくとも一方の面と、前記第３斜面と前記第４斜面とのうちの少なくとも一方の面とに当接し、前記モータは、前記ファンが駆動されたときに、非駆動時より前記ファンケースから見て離間する方向に移動する。
【０００６】
なお、この明細書における斜面とは、モータの回転軸に対して径方向の断面において、モータの回転軸の軸方向に対して直線的に延びる面、つまり内径又は外径が徐々に増加又は減少するテーパ状の面、弧状に湾曲した面、を含むものとする。【０００７】
この構成によれば、回転軸に沿ったモータの振動は、第３斜面又は第４斜面からシール部材を介してファンケースの第２斜面又は第１斜面に伝達される。モータの回転軸に沿った振動は、これらの第１斜面と第４斜面、又は第２斜面と第３斜面により、それぞれの斜面とシール部材とが当接する位置における傾きに応じた成分となる。これにより、ファンケースにおける振動が低減され、モータの振動による騒音が抑制される。また、ファンが駆動されたときにモータが非駆動時よりファンケースから見て離間する方向に移動する。このモータの移動は、振動の低減及びシール性の向上に貢献する。
【０００８】
上記の送風装置において、前記モータは、前記ファンを駆動するモータ本体と、前記外周面を有し前記モータ本体が固定されるモータ側固定部材と、を有することが好ましい。
この構成によれば、回転軸を有するモータ本体に対して、第３斜面と第４斜面とを容易に設定することができる。【０００９】
上記の送風装置において、前記モータ側固定部材は、前記第３斜面を有する第１固定部材と、前記第４斜面を有する第２固定部材と、を有することが好ましい。
この構成によれば、回転軸を有するモータ本体に対して、第３斜面と第４斜面とを容易に設定することができる。【００１０】
上記の送風装置は、前記第１固定部材と前記第２固定部材との間に配設された粘性部材を有することが好ましい。
この構成によれば、粘性部材によりファンケースの振動が低減される。【００１１】
上記の送風装置において、前記ファンケースは、前記ファンを収容する収容空間を形成するケース本体と、前記ケース本体の上面に取着されたケース側固定部材と、を有し、前記ケース本体は前記第１斜面を有し、前記ケース側固定部材は前記第２斜面を有することが好ましい。【００１２】
この構成によれば、ファンケースの組立が容易となり、生産性が向上する。
上記の送風装置において、前記ファンケースは、前記ファンを収容する収容空間を形成するケース本体と、前記ケース本体の上面に取着されたケース側固定部材と、を有し、前記ケース側固定部材は前記第１斜面及び前記第２斜面を有することが好ましい。【００１３】
この構成によれば、ファンケースの組立が容易となり、生産性が向上する。
上記の送風装置は、前記ケース本体と前記ケース側固定部材とは、互いに異なる材料からなることが好ましい。【００１４】
この構成によれば、ファンケースの振動がさらに抑制され、騒音が低減される。
上記の送風装置は、前記ケース本体と前記ケース側固定部材との間に配設された粘性部材を有することが好ましい。【００１５】
この構成によれば、粘性部材によりファンケースの振動が低減される。
上記の送風装置において、前記粘性部材は、粘着シート又はゲルシートを有することが好ましい。【００１６】
上記の送風装置において、前記第１斜面と前記第２斜面の少なくとも一方は径方向外側に向かって凹状に湾曲しており、前記第３斜面と前記第４斜面の少なくとも一方は径方向内側に向かって凹状に湾曲していることが好ましい。【００１７】
上記課題を解決する流体制御装置は、上述の送風装置と、前記送風装置を制御する制御装置とを有する。
この構成によれば、ファンケースにおける振動が低減され、モータの振動による騒音が抑制される。
【発明の効果】
【００１８】
本発明の送風装置及び流体制御装置によれば、モータの振動による騒音を低減することができる。
【図面の簡単な説明】
【００１９】
【図１】流体制御装置の電気的構成を示すブロック図。
【図２】（ａ）は流体制御装置の概略平断面図、（ｂ）は流体制御装置の概略縦断面図、（ｃ）は送風装置の一部拡大断面図。
【図３】（ａ）（ｂ）は送風装置の説明図。
【図４】送風装置の概略斜視図。
【図５】変形例の送風装置を示す概略断面図。
【図６】変形例の送風装置を示す概略断面図。
【図７】変形例の送風装置を示す概略断面図。
【図８】（ａ）は変形例の送風装置を示す概略断面図、（ｂ）は図８（ａ）の一部拡大断面図。
【図９】（ａ）は変形例の送風装置を示す概略断面図、（ｂ）は図９（ａ）の一部拡大断面図。
【発明を実施するための形態】
【００２０】
以下、一実施形態を説明する。
なお、添付図面は、理解を容易にするために構成要素を拡大して示している場合がある。構成要素の寸法比率は実際のものと、または別の図面中のものと異なる場合がある。また、断面図では、理解を容易にするために、一部の構成要素のハッチングを省略している場合がある。
【００２１】
図１に示すように、流体制御装置１は、例えば持続的気道陽圧（ＣＰＡＰ:Continuous Positive Airway Pressure）装置として用いられる。流体制御装置１は、チューブ９１を介してマスク９２に接続される。マスク９２は、患者９３の鼻や口に装着される。流体制御装置１は、チューブ９１とマスク９２を介して患者９３に所望の圧力の気体（例えば空気）を供給する。また、流体制御装置１は、患者９３の状態（例えば呼気時）を判定し、患者の状態に応じて患者９３に供給する気体の圧力を制御する。
【００２２】
流体制御装置１は、ケース１０と、ケース１０の上面に配置された表示部８１と操作部８２とを備えている。流体制御装置１は、設定値を含む各種情報を表示部８１に表示する。また、流体制御装置１は、操作部８２の操作に基づいて、設定値を含む各種情報を設定する。設定値は、供給する気体の圧力値、気体の流量値を含む。また、設定値は、呼気時に供給する気体の圧力値を含む。
【００２３】
例えば、流体制御装置１は、マスク９２が装着された患者９３の呼気状態を推定する。そして、流体制御装置１は、推定した呼気状態に応じて、供給する気体の圧力値を制御する。例えば、吸気時の圧力は１０００［Ｐａ］、呼気時の圧力は７００［Ｐａ］である。患者９３が呼気状態であるときに、供給する気体の圧力を低下させることで、患者９３における息苦しさを低減する。
【００２４】
図２（ａ）及び図２（ｂ）に示すように、流体制御装置１は、ケース１０と、送風装置としての送風ユニット２０と、制御ユニット８３とを有している。
ケース１０は、内部空間を区画する区画壁１１を有している。区画壁１１により区画された一方の内部空間は送風室１２であり、他方の内部空間は制御室１３である。送風ユニット２０は送風室１２に内設され、制御ユニット８３は制御室１３に内設されている。制御ユニット８３は、送風ユニット２０を制御する制御装置として機能する。
【００２５】
また、ケース１０は、送風室１２の内部をケース１０の外部と連通する流入口１４を有している。流入口１４は、ケース１０の外部の気体を送風室１２の内部へと吸入するために設けられている。また、ケース１０は、上記の送風ユニット２０が挿通される挿通口１５を有している。
【００２６】
図２（ｂ）に示すように、送風ユニット２０は、ファン２１と、ファン２１を収容するファンケース２２と、ファン２１を回転駆動する駆動源としてのモータ６０とを有している。
【００２７】
図２（ｂ）及び図４に示すように、ファンケース２２は、ファン２１を収容するケース本体３０と、ケース本体３０に固定されたシール固定部材５０とを有している。
ケース本体３０は、第１ケース３１と第２ケース４１を有している。第１ケース３１は、上板３２と、上板３２の端部からその上板３２と直交する方向に延びる枠状の側板３３とを有している。
【００２８】
第２ケース４１は、底板４２と、底板４２の端部からその底板４２と直交する方向に延びる枠状の側板４３とを有している。底板４２は、下方に開口する流入口４２ａを有している。ファンケース２２は、第１ケース３１と第２ケース４１とを組み合わせた状態において、ファンケース２２の側面に突出し内部から気体を排出する排出部２２ａを有している。図２（ａ）に示すように、排出部２２ａは、ケース１０の挿通口１５に挿通されている。挿通口１５に挿通された排出部２２ａの先端は、ケース１０から突出する。この突出する排出部２２ａの先端には、図１に示すチューブ９１が連結される。
【００２９】
図２（ｂ）に示すように、第１ケース３１の上板３２は、モータ６０が挿入される挿入口３４を有している。上板３２の上面にはシール固定部材５０が固定されている。シール固定部材５０は、たとえばネジにより第１ケース３１の上板３２に固定されている。シール固定部材５０は、モータ６０が挿入される挿入口５１を有している。第１ケース３１及び第２ケース４１の材料としては、例えばアクリル等の樹脂を用いることができる。シール固定部材５０の材料としては、第１ケース３１及び第２ケース４１よりも質量の大きな材料、例えば、ステンレス等の金属を用いることができる。
【００３０】
モータ６０は、回転軸６１ａを有するモータ本体６１と、モータ本体６１をファンケース２２に対して支持するためのシール保持部材６２とを有している。シール保持部材６２は略円板状に形成され、中心に回転軸６１ａが挿通される挿通口６２ａを有している。シール保持部材６２の外径は、第１ケース３１の挿入口３４及びシール固定部材５０の挿入口５１の内径よりも小さく設定されている。
【００３１】
モータ本体６１は、回転軸６１ａの軸方向の寸法が回転軸６１ａの径方向の寸法に比べて小さい、扁平のモータであり、概略円板状のモータである。モータ本体６１は、概略円板状のロータを有し、そのロータの中心には回転軸６１ａがロータと一体的に回転するように固定されている。ロータはステータと回転軸６１ａの軸方向に対向するように配設されている。回転軸６１ａには、ファン２１が固定されている。モータ本体６１に対する給電により回転する回転軸６１ａにより、その回転軸６１ａとファン２１とが一体的に回転する。
【００３２】
第１ケース３１及びシール固定部材５０とモータ６０のシール保持部材６２との間には、シール部材７０が介在されている。このシール部材７０により、モータ６０がケース本体３０（第１ケース３１及びシール固定部材５０）に取着されている。シール部材７０は、弾性を有し、環状に形成されている。シール部材７０の材料としては、例えばゴムを用いることができる。シール部材７０は、例えばＯリングである。
【００３３】
図２（ｃ）に示すように、第１ケース３１の上板３２の内周面３５は、モータ６０のシール保持部材６２と径方向に対向する第１斜面３５ａを有している。シール固定部材５０の内周面５２は、モータ６０のシール保持部材６２と径方向に対向する第２斜面５２ａを有している。つまり、ケース本体３０は、モータ６０が挿入される挿入口（３４，５１）を有している。その挿入口（３４，５１）の内周面（３５，５２）は、ケース本体３０の内側の第１斜面３５ａと、その第１斜面３５ａよりケース本体３０の外側の第２斜面５２ａとを有している。第１斜面３５ａは第２斜面５２ａに近くなる側の内径が第２斜面５２ａに遠くなる側の内径より大きく、第２斜面５２ａは第１斜面３５ａに近くなる側の内径が第１斜面３５ａに遠くなる側の内径より大きい。すなわち、第１斜面３５ａと第２斜面５２ａは、互いに近い側の内径と比べ、互いに遠い側の内径が小さい。なお、本実施形態において、第１斜面３５ａは、ケース１０の内外方向（図２（ｃ）の上下方向）において、ケース１０の内側に向かって徐々に内径が小さいテーパ状に形成されている。そして、第２斜面５２ａは、ケース１０の内外方向において、ケース１０の外側に向かって徐々に内径が小さいテーパ状に形成されている。
【００３４】
モータ６０のシール保持部材６２は、ファンケース２２の内周面（ケース本体３０（第１ケース３１）の内周面３５及びシール固定部材５０の内周面５２）と対向する外周面６３を有している。外周面６３は、回転軸６１ａの軸方向に沿って第３斜面６３ａと第４斜面６３ｂとを有している。第３斜面６３ａは第４斜面６３ｂに近くなる側の内径が第４斜面６３ｂに遠くなる側の内径より大きく、第４斜面６３ｂは第３斜面６３ａに近くなる側の内径が第３斜面６３ａに遠くなる側の内径より大きい。すなわち、第３斜面６３ａと第４斜面６３ｂは、互いに近い側の外径に比べ、互いに遠い側の外径が大きい。なお、本実施形態において、第３斜面６３ａは、回転軸６１ａの先端に向かって（図２（ｃ）において下方向）徐々に外径が大きいテーパ状に形成されている。第４斜面６３ｂは、回転軸６１ａの先端と逆方向（図２（ｃ）において上方向）に向かって徐々に外径が大きいテーパ状に形成されている。
【００３５】
図２（ｃ）に示すように、シール部材７０は、第１斜面３５ａ、第２斜面５２ａ、第３斜面６３ａ、第４斜面６３ｂにより囲まれる環状の空間に配設されている。図２（ａ）に示すように、ファンケース２２の挿入口５１，３４とモータ６０のシール保持部材６２との間に隙間が形成され、その隙間からシール部材７０の一部を確認することができる。挿入口５１，３４の内径に対してシール部材７０の外径は大きく、モータ６０のシール保持部材６２の外径に対してシール部材７０の内径は小さい。
【００３６】
ファンケース２２とモータ６０のシール保持部材６２は、シール部材７０に対する与圧が０（ゼロ）又は負となるように設定されている。シール部材７０に対する与圧は、そのシール部材７０を弾性変形させる力を示す。円環状のシール部材７０において、周方向と直交する面におけるシール部材７０の断面形状は円形である。断面において、シール部材７０の中心Ｏ１から第１斜面３５ａ、第２斜面５２ａ、第３斜面６３ａ、第４斜面６３ｂまでの距離がシール部材７０の半径と等しいか半径よりもやや大きいとき、シール部材７０に対する与圧は与えられない。
【００３７】
なお、第１斜面３５ａ、第２斜面５２ａ、第３斜面６３ａ、第４斜面６３ｂの間隔は、シール部材７０に対する与圧を与えることなく、第１斜面３５ａ、第２斜面５２ａ、第３斜面６３ａ、第４斜面６３ｂにより概略囲まれた空間にシール部材７０を保持するように設定される。これにより、モータ６０は、シール部材７０を介してファンケース２２に支持される。
【００３８】
（作用）
次に、上記の流体制御装置１の作用を説明する。
図２（ｂ）に示すように、送風ユニット２０は、ファン２１と、ファン２１を収容するファンケース２２と、ファン２１を駆動するモータ６０と、ファンケース２２とモータ６０との間に介在されるシール部材７０とを有している。モータ６０はシール部材７０を介してファンケース２２に指示される。そして、ファンケース２２とモータ６０のシール保持部材６２は、シール部材７０に対する与圧が０（ゼロ）又は負となるように設定されている。
【００３９】
モータ６０によってファン２１が回転駆動されると、そのファン２１の回転によってファンケース２２の外部の気体が、流入口４２ａを介してファンケース２２の内部へと吸入される。そして、ファンケース２２の内部の気体は、図２（ａ）に示す排出部２２ａから排出される。その排出される気体は、図１に示すチューブ９１及びマスク９２を介して患者９３へと送られる。
【００４０】
このとき、ファンケース２２の内部の圧力により、モータ６０が上方へと押し上げられる。モータ６０の移動により、図２（ｃ）に示すシール保持部材６２の第３斜面６３ａがシール部材７０に押し付けられる。このため、シール部材７０は、シール保持部材６２の第３斜面６３ａと、シール固定部材５０の第２斜面５２ａとに密着する。これにより、シール部材７０は、送風ユニット２０において、排出部２２ａ（図２（ａ）参照）以外から気体が漏れないようにシールする。
【００４１】
上述のように、シール部材７０に対する与圧が０（ゼロ）又は負となるように設定されている。シール部材７０と第１斜面３５ａ、第２斜面５２ａ、第３斜面６３ａ、第４斜面６３ｂとの間が微少な隙間であれば、ファンケース２２の内部に発生した圧力によりモータ６０がファンケース２２の外側に向かって押されることで、シールが確保される。
【００４２】
送風ユニット２０は、概略円板状のモータ本体６１を有している。モータ本体６１は、回転軸６１ａの軸方向に対向するロータ及びステータを有している。このようなモータ本体６１では、回転軸６１ａの軸方向と直交する方向の振動と、回転軸６１ａの軸方向に沿った振動が発生する。
【００４３】
送風ユニット２０において、モータ６０の駆動時に回転軸６１ａと直交する方向における振動は、モータ本体６１とファン２１とのバランスによって抑制できる。
例えば、ファンケースの天井板の上面にモータを固定した送風ユニットでは、モータにおいて回転軸の軸方向に生じる振動がそのままファンケースに伝達される。このため、ファンケースにおいて、モータが固定された板材（天井板）が上面と垂直な方向に大きく振動し、その振動音がケースの外部に放出され、使用者に対する騒音となる。
【００４４】
本実施形態の送風ユニット２０は、モータ６０がシール部材７０を介してファンケース２２に支持されている。ファンケース２２は、第１ケース３１の第１斜面３５ａとシール固定部材５０の第２斜面５２ａとを有している。モータ６０のシール保持部材６２は、第３斜面６３ａと第４斜面６３ｂとを有している。
【００４５】
図３（ａ）に示すように、モータ６０の駆動により図において上方向にモータ６０が移動する。シール部材７０は、ファンケース２２の第２斜面５２ａとモータ６０の第３斜面６３ａとに当接する。従って、モータ６０に発生する振動は、シール保持部材６２の第３斜面６３ａからシール部材７０に伝達され、そのシール部材７０からファンケース２２に伝達される。
【００４６】
このとき、回転軸６１ａの軸方向（図３（ａ）において上下方向）の力Ｖ１は、第３斜面６３ａが当接するシール部材７０に対して、第３斜面６３ａと直交する方向の成分Ｖａがシール部材７０に伝達される。同様に、シール部材７０が当接する第２斜面５２ａに対して、その第２斜面５２ａと直交する成分Ｖｂが伝達される。この成分Ｖｂは、ファンケース２２の主面と直交する成分Ｖｃと、ファンケース２２の主面と平行な成分Ｖｄとを含む。このうち、ファンケース２２の主面と直交する成分Ｖｃが、ファンケース２２の主面、つまり第１ケース３１の上板３２を振動させる力となる。
【００４７】
この成分Ｖｃの大きさは、シール部材７０が当接する第３斜面６３ａの角度θ１及び第２斜面５２ａの角度θ２と、シール部材７０の弾性力に応じた大きさとなる。
先ず、シール部材７０の弾性力を考慮しない場合について説明する。
【００４８】
シール部材７０に印加される振動成分Ｖ１は、
Ｖａ＝Ｖ１×ｓｉｎθ１
Ｖｂ＝Ｖａ×ｓｉｎ（９０°−θ１＋θ２）
Ｖｃ＝Ｖｂ×ｓｉｎθ２
となる。従って、ファンケース２２において第１ケース３１の上面３１ａに対して垂直な方向の力（成分）Ｖｃは、
Ｖｃｃ＝Ｖ１×ｓｉｎθ１ｓｉｎθ２（ｓｉｎθ２ｓｉｎθ１＋ｃｏｓθ２ｃｏｓθ１）
となる。第３斜面の角度θ１と第２斜面の角度θ２が小さいほど、上述の成分Ｖｃは小さくなる。つまり、ファンケース２２を振動させる力Ｖｃが小さくなる。
【００４９】
シール部材７０の弾性力を考慮すると、シール部材７０から第２斜面５２ａに印加される成分Ｖｂが上述の式の値よりもそのシール部材７０の弾性力に応じて小さくなる。つまり、シール部材７０の弾性力により、ファンケース２２を振動させる力Ｖｃは、上述の式の値よりも小さくなる。
【００５０】
第３斜面６３ａの角度θ１と第２斜面５２ａの角度θ２がそれぞれ９０度より小さいほど、第３斜面６３ａとシール部材７０と第２斜面５２ａとによりファンケース２２に伝達され、そのファンケース２２を振動させる力が小さくなる。
【００５１】
なお、モータ６０が図３（ａ）において上方向に移動した場合を説明したが、モータ６０が下方向に移動した場合も同様である。つまり、モータ６０が上下方向、つまり図２（ｂ）に示す回転軸６１ａの軸方向に沿って振動した場合、その振動するときの力は、上述した式とシール部材７０の弾性力に応じて減少してファンケース２２に伝達される。このため、ファンケース２２の振動が抑制される。
【００５２】
図３（ｂ）は、第３斜面６３ａの角度θ１と、第２斜面５２ａの角度θ２が異なる場合（θ２＜θ１）の各成分Ｖ１〜Ｖｄを示す。第２斜面５２ａの角度θ２が第３斜面６３ａの角度θ１より小さいとき、第２斜面５２ａの角度θ２が第３斜面６３ａの角度θ１と等しい場合と比べ、成分Ｖｃが小さくなる。つまり、ファンケース２２を振動させる力がさらに低減される。
【００５３】
また、本実施形態において、シール保持部材６２及びファンケース２２の大きさは、シール部材７０に与圧を加えないように設定されている。このため、シール部材７０に与圧を掛けた場合と比べ、モータ６０の振動の力は、シール部材７０の弾性変形により上述と比べてより小さくなってファンケース２２に伝達される。このため、ファンケース２２の振動がより抑制される。このため、ファンケース２２の振動による音（騒音）が更に低減される。
【００５４】
本実施形態において、ファンケース２２は、第１ケース３１及び第２ケース４１と、第１ケース３１に固定されたシール固定部材５０とを有している。第１ケース３１及び第２ケース４１は樹脂製であり、シール固定部材５０は金属製である。このように、第１ケース３１に対して質量の大きなシール固定部材５０は、伝達される力によるファンケース２２の振動を抑制する。
【００５５】
以上記述したように、本実施形態によれば、以下の効果を奏する。
（１）第１ケース３１の上板３２の内周面３５は、モータ６０のシール保持部材６２と径方向に対向する第１斜面３５ａを有している。シール固定部材５０の内周面５２は、モータ６０のシール保持部材６２と径方向に対向する第２斜面５２ａを有している。モータ６０のシール保持部材６２は、ファンケース２２の内周面（ケース本体３０（第１ケース３１）の内周面３５及びシール固定部材５０の内周面５２）と対向する外周面６３を有している。外周面６３は、回転軸６１ａの軸方向に沿って第３斜面６３ａと第４斜面６３ｂとを有している。第３斜面６３ａと第４斜面６３ｂは、互いに近い側の外径に比べ、互いに遠い側の外径が大きい。シール部材７０は、第１斜面３５ａ、第２斜面５２ａ、第３斜面６３ａ、第４斜面６３ｂにより囲まれる環状の空間に配設されている。
【００５６】
この構成によれば、回転軸６１ａに沿ったモータ本体６１の振動は、第３斜面６３ａ又は第４斜面６３ｂからシール部材７０を介してファンケース２２の第２斜面５２ａ又は第１斜面３５ａに伝達される。モータ本体６１の回転軸６１ａに沿った振動は、これらの第１斜面３５ａと第４斜面６３ｂ、又は第２斜面５２ａと第３斜面６３ａにより、それぞれの斜面３５ａ，５２ａ，６３ａ，６３ｂとシール部材７０とが当接する位置における傾きに応じた成分となる。これにより、ファンケース２２における振動を低減し、モータ本体６１の振動による騒音を抑制することができる。
【００５７】
（２）モータ６０は、モータ本体６１と、モータ本体６１に固定されるシール保持部材６２とを有している。シール保持部材６２は、外周面６３に第３斜面６３ａと第４斜面６３ｂを有している。この構成により、モータ本体６１に対して第３斜面６３ａと第４斜面６３ｂとを容易に設定することができる。
【００５８】
（３）ファンケース２２は、ファン２１を収容するケース本体３０と、ケース本体３０に取着されたシール固定部材５０とを有している。ケース本体３０は第１斜面３５ａを有し、シール固定部材５０は第２斜面５２ａを有している。このため、ファンケース２２の組立が容易となり、生産性を向上させることができる。
【００５９】
＜変形例＞
上記実施形態は、以下の態様で実施してもよい。なお、以下の変形例において説明されない部材については符号を省略することがある。
【００６０】
・上記実施形態に対し、送風ユニット２０の構成を適宜変更してもよい。
図５に示すように、ファンケース１００は、第１ケース３１とシール固定部材５０との間に粘性部材１０１を介在させてもよい。粘性部材１０１としては、例えば粘着シート、ゲルシートを用いることができる。このような粘性部材１０１は、ファンケース１００の振動を抑制する。
【００６１】
図６に示すように、モータ１１０のシール保持部材１１１は、第３斜面６３ａを有する第１保持部材１１１ａと、第１保持部材１１１ａに固定され第４斜面６３ｂを有する第２保持部材１１１ｂとを有している。このようなシール保持部材１１１は、第３斜面６３ａと第４斜面６３ｂの加工が容易となる。
【００６２】
図７に示すように、モータ１２０は、モータ本体１２１の側面に第３斜面６３ａと第４斜面６３ｂを有している。
図８（ａ）に示す送風ユニット装置１３０は、ファンケース１３１と、モータ６０と、シール部材７０とを有している。ファンケース１３１は、第１ケース１３２と第２ケース４１とシール固定部材１３３とを有している。図８（ｂ）に示すように、第１ケース１３２は、径方向外側に向かって凹となる曲面状の第１斜面１３２ａを有し、シール固定部材１３３は、径方向外側に向かって凹となる曲面状の第２斜面１３３ａを有している。このような曲面状の第１斜面１３２ａ及び第２斜面１３３ａについても、上記実施形態と同様に、シール部材７０との接線の角度に応じて、モータ６０の振動によるファンケース１３１の振動を抑制する。なお、図８（ｂ）では、ファンケース１３１側の第１斜面１３２ａ及び第２斜面１３３ａを曲面としたが、いずれか一方をテーパ面としてもよい。また、モータ６０側の第３斜面６３ａと第４斜面６３ｂの少なくとも一方を凹状の曲面としてもよい。
【００６３】
シール固定部材５０及びケース本体３０の形状、シール固定部材５０とケース本体３０との結合位置及び結合様式は、適宜変更することができる。例えば、図９（ａ）（ｂ）に示すように、シール固定部材１４３は非平板状であってよく、ファンケース１４１のケース本体１４２はシール固定部材１４３の外周面１４３ａを囲むように構成されてよい。
【００６４】
図９の変形例の送風ユニット１４０は、ファンケース１４１と、モータ１６０と、シール部材７０とを有している。ファンケース１４１は、ファン２１を収容するケース本体１４２と、ケース本体１４２に固定されたシール固定部材１４３とを有している。モータ１６０は、回転軸１６１ａと、モータ本体１６１と、シール保持部材１６２とを有している。回転軸１６１ａの先端部はモータ本体１６１から突出してファン２１に結合される。回転軸１６１ａの先端部を除く他の部分はモータ本体１６１に覆われてよい。シール保持部材１６２は、シール部材７０と協働してモータ本体１６１をファンケース１４１に支持するように構成される。
【００６５】
シール固定部材１４３は、モータ１６０のモータ本体１６１の少なくとも一部とシール保持部材１６２の少なくとも一部とを囲むように設けられ、例えば筒状に形成される。
ケース本体１４２は、シール固定部材１４３の外周面１４３ａを囲むように設けられる。ケース本体１４２は、第１ケース１４４と第２ケース１４５とを有することができる。第１ケース１４４は、第２ケース１４５に結合される、例えばドーナツ状のキャップとして構成され得る。第１ケース１４４は、シール固定部材１４３の外周面１４３ａを囲む内周面１４４ａを有することができる。第１ケース１４４は、シール固定部材１４３を例えば下から支持する段部または内向きフランジ１４４ｂを有することができる。
【００６６】
ケース本体１４２は、ケース本体１４２の内周面である第１ケース１４４の内周面１４４ａと、モータ本体１６１の外周面１６１ｂとの間に、シール固定部材１４３を挿入可能な筒状溝または筒状空間を区画するように構成される。
【００６７】
第１ケース１４４の内周面１４４ａとシール固定部材１４３の外周面１４３ａとの面接触または嵌合によって、シール固定部材１４３と第１ケース１４４とは固定的に結合されてもよい。第１ケース１４４とシール固定部材１４３は、例えばバヨネット式結合によって、取り外し可能に結合されてもよい。第１ケース１４４とシール固定部材１４３は、ネジ（図示せず）で固定してもよい。第１ケース１４４とシール固定部材１４３とは適宜の結合手段によって結合することができる。
【００６８】
第２ケース１４５は、第１ケース１４４に結合されるように構成され、例えば実施形態の第２ケース４１と同様に構成することができる。
図９（ｂ）に示すように、第１ケース１４４は、モータ挿入口の一部として機能する開口３４を区画する内周面３５を有している。シール固定部材１４３は、前記モータ挿入口の別の一部として機能する開口５１を区画する内周面５２を有している。シール固定部材１４３の開口５１は、第１ケース１４４の開口３４と同軸的に連通し、モータ挿入口を形成する。
【００６９】
第１ケース１４４の内周面３５は、第１斜面１３５ａを含む。シール固定部材１４３の内周面５２は、第２斜面１５２ａを含む。モータ１６０に含まれるシール保持部材１６２は、第１ケース１４４の第１斜面１３５ａ及びシール固定部材１４３の第２斜面１５２ａに囲まれる外周面１６３を有する。この外周面１６３は、第１斜面１３５ａ及び第２斜面１５２ａと協働してシール部材７０を配設するための環状の空間を形成する第３斜面１６３ａ及び第４斜面１６３ｂを有する。第１斜面１３５ａ、第２斜面１５２ａ、第３斜面１６３ａ及び第４斜面１６３ｂは、上述した実施形態または変形例のものと同様に構成され得る。
【００７０】
図９の変形例によれば、上述した実施形態及び変形例と同様の効果に加え、以下の効果が得られる。
ファンケース１４１がモータ１６０のモータ本体１６１を囲むように構成されており、ファンケース１４１の内周面１４４ａとモータ本体１６１の外周面１６１ｂとの間に、筒状のシール固定部材１４３をアップライトに配置することができる。この配置は、シール固定部材１４３のフットプリントを小さくでき、送風ユニット１４０の小型化に有利である。このシール固定部材１４３の形状および／または配置により、モータ１６０の軸方向におけるシール固定部材１４３の剛性が向上し、モータ１６０から伝達される軸方向振動によるファンケース１４１の振動振幅が抑制され、騒音を低減できる。
【００７１】
シール固定部材１４３は、モータ本体１６１の外周面１６１よりも径方向外側で、ファンケース１４１の内周面１４４ａと結合または接合される。モータ１６０の軸方向（高さ方向ともいう）においてモータ１６０の外周面１６１ｂの大部分、好ましくは全体を、シール固定部材１４３とファンケース１４１とによって囲むことができる。この配置は、モータ１６０の保護に有利である。
【符号の説明】
【００７２】
１…流体制御装置、１４…流入口、２１…ファン、２２…ファンケース、２２ａ…排出部、３０…ケース本体、３５…内周面、３５ａ…第１斜面、５２…内周面、５２ａ…第２斜面、６０…モータ、６１…モータ本体、６１ａ…回転軸、６３…外周面、６３ａ…第３斜面、６３ｂ…第４斜面、７０…シール部材。
【図１】
0006801774.tif 000002
【図２】
0006801774.tif 000003
【図３】
0006801774.tif 000004
【図４】
0006801774.tif 000005
【図５】
0006801774.tif 000006
【図６】
0006801774.tif 000007
【図７】
0006801774.tif 000008
【図８】
0006801774.tif 000009
【図９】
0006801774.tif 000010